(57)【要約】【課題】筆記具の軸体に外挿する際に、軸体への挿入方向に皺寄ることなく容易に差込むことができ、装着後の軸体に対する位置安定性を良好にするとともに、指先へのペン胼胝の発生を和らげることができるようにした筆記具用グリップを提供する。【解決手段】内筒体２と、この内筒体２に圧嵌状態をもって外嵌した外筒体３とよりなる二重筒構造とし、内筒体２に、その端部２ａから軸方向のスリット状または有底溝状の切込み部４を形成するとともに、外筒体３を、径方向に弾性作用をなす軟質材料をもって形成し、かつ内筒体２に対して縮径方向に弾性を付与しうるようにする。【選択図】    図３
2010125755.tif 000002
【特許請求の範囲】
【請求項１】
内筒体と、この内筒体に圧嵌状態をもって外嵌した外筒体とよりなる二重筒構造とするとともに、内筒体に、その端部から軸方向のスリット状または有底溝状の切込み部を形成し、かつ外筒体を、径方向に弾性作用をなす軟質材料をもって形成することにより、外筒体の弾性作用をもって、内筒体に対して縮径方向に弾性を付与しうるようにしたことを特徴とする筆記具用グリップ。
【請求項２】
内筒体に、軸方向の全長に亘って１本の切込み部を形成した請求項１記載の筆記具用グリップ。
【請求項３】
内筒体における軸方向の両端部から中央部に向けて、複数の切込み部を周方向に入れ違いに切り込んで設けるとともに、それぞれの周方向に隣り合う切込み端部における軸中央寄りの部分を、交互に重複させた請求項１記載の筆記具用グリップ。
【請求項４】
各切込み部を、軸方向の外側に向けて平面視縦長のＶ字状に拡開させた請求項３記載の筆記具用グリップ。
【請求項５】
外筒体を、指先摘み部と、この指先摘み部から軸方向後方に延出するとともに、前記指先摘み部と異なる素材によりなる摘み補助部とより形成し、かつこれら指先摘み部と摘み補助部とを、二色成形をもって、軸方向に一体に形成したものとした請求項１〜４のいずれかに記載の筆記具用グリップ。
【請求項６】
指先摘み部を、軟質素材とし、摘み補助部を硬質素材とした請求項６記載の筆記具用グリップ。
【発明の詳細な説明】
【技術分野】
【０００１】
本発明は、たとえば鉛筆やボールペン等の筆記具の軸体に装着して使用される筆記具用グリップに関する。
【背景技術】
【０００２】
従来の筆記具用グリップにおいては、円筒状の弾性筒体の内周面に、多数の有底溝状の切込を軸方向に向けて形成することにより、弾性筒体を、たとえば断面六角形をなす六角軸型鉛筆などにおける軸体の指先摘み部分に外挿して使用した際に、指先の摘み力に対するクッション効果を高めるようにしたものが知られている（特許文献１参照）。
【０００３】
しかし、前記特許文献１に記載されたグリップでは、鉛筆などの軸体に外挿する際、弾性筒体の内径が、軸体の外径よりも小さいため、弾性筒体の縮径方向の弾力が強くて、容易に差込みにくいことがある。
また、弾性筒体の肉厚が薄くて、腰が弱い弾性筒体の場合には、軸体への挿入方向に波状の凹凸が形成されるように皺寄り易く、グリップ装着後における軸体に対する位置安定性が悪くなるばかりでなく、指先に違和感が生じる。
しかも、そのままの状態で長時間に亘って筆記し続けることによって、指先にペン胼胝を発生させる原因となり易いという問題があった。
【特許文献１】実開昭５４−１２８５３９号公報
【発明の開示】
【発明が解決しようとする課題】
【０００４】
本発明は、前記の現状に鑑み、筆記具の軸体に外挿する際に、軸体への挿入方向に皺寄ることなく容易に差込むことができ、装着後の軸体に対する位置安定性を良好にするとともに、指先へのペン胼胝の発生を和らげることができるようにした筆記具用グリップを提供することを目的としている。
【課題を解決するための手段】
【０００５】
上記課題は、「特許請求の範囲」の欄における各請求項に記載するように、次のような構成からなる発明によって解決される。
【０００６】
（１）内筒体と、この内筒体に圧嵌状態をもって外嵌した外筒体とよりなる二重筒構造とするとともに、内筒体に、その端部から軸方向のスリット状または有底溝状の切込み部を形成し、かつ外筒体を、径方向に弾性作用をなす軟質材料をもって形成することにより、外筒体の弾性作用をもって、内筒体に対して縮径方向に弾性を付与しうるようにする。
【０００７】
（２）上記（１）項において、内筒体に、軸方向の全長に亘って１本の切込み部を形成する。
【０００８】
（３）上記（１）項において、内筒体における軸方向の両端部から中央部に向けて、複数の切込み部を周方向に入れ違いに切り込んで設けるとともに、それぞれの周方向に隣り合う切込み端部における軸中央寄りの部分を、交互に重複させる。
【０００９】
（４）上記（３）項において、各切込み部を、軸方向の外側に向けて平面視縦長のＶ字状に拡開させる。
【００１０】
（５）上記（１）〜（４）項のいずれかにおいて、外筒体を、指先摘み部と、この指先摘み部から軸方向後方に延出するとともに、前記指先摘み部と異なる素材によりなる摘み補助部とより形成し、かつこれら指先摘み部と摘み補助部とを、二色成形をもって、軸方向に一体に形成したものとする。
【００１１】
（６）上記（５）項において、指先摘み部を、軟質素材とし、摘み補助部を硬質素材とする。
【発明の効果】
【００１２】
本発明によると、次のような効果を奏することができる。
請求項１記載の発明によると、内筒体の外周面に外筒体が圧嵌状態をもって外嵌された二重筒構造としてあるため、グリップ全体の腰が強くなり、筆記具に外挿する際に、軸体への挿入方向に皺寄ることなく容易に差し込むことができるとともに、グリップ装着後における筆記具に対する位置安定性が良好となり、指先に違和感を生じることがない。
また、内筒体の端部から軸方向のスリット状または有底溝状の切込み部を形成し、かつ外筒体を、径方向に弾性作用をなす軟質材料をもって形成することにより、外筒体の弾性作用をもって、内筒体に対して縮径方向に弾性を付与しうるようにしてあるため、筆記具における軸体の外径に応じて、内筒体および外筒体を径方向に弾性変形させることができる。
さらに、外筒体が、径方向に弾性作用をなす軟質材料をもって形成してあるため、筆記具に対する位置安定性と相俟って、長時間に亘って筆記し続けても、指先へのペン胼胝の発生を和らげることができる。
【００１３】
請求項２記載の発明によると、内筒体に、軸方向の全長に亘って１本の切込み部を形成してあるため、内筒体の内径を、筆記具の外径に応じて、容易に径方向に弾性変形させることができる。
【００１４】
請求項３記載の発明によると、内筒体における軸方向の両端部から中央部に向けて、複数の切込み部を周方向に入れ違いに切り込んで設けてあるため、内筒体における径方向の弾性変形が、より一層容易になる。
また、各切込み部の周方向に隣り合う軸中央寄りの切込み端部を、交互に重複させてあるため、内筒体の軸方向の中央部においても、筆記具の外径に応じて、径方向の弾性変形が容易になる。
【００１５】
請求項４記載の発明によると、各切込み部を、軸方向の外側に向けて平面視縦長のＶ字状に拡開させてあるため、筆記具の外径に対する内筒体の開放端部側の径方向の弾性変形がより柔軟となり、筆記具の差込みが、より円滑にかつ容易に行える。
【００１６】
請求項６記載の発明によると、外筒体を、指先摘み部と、この指先摘み部から軸方向後方に延出するとともに、前記指先摘み部と異なる素材によりなる摘み補助部とより形成し、かつこれら指先摘み部と摘み補助部とを、二色成形をもって、軸方向に一体に形成したものとしてあるため、外観の体裁を高めることができる。
【００１７】
請求項７記載の発明によると、指先摘み部を、軟質素材とし、摘み補助部を、硬質素材としてあるため、指先摘み部のクッション効果をより高めることができ、指先へのペン胼胝の発生を和らげることができ、より安定した筆記が行える。
【発明を実施するための最良の形態】
【００１８】
以下、本発明を、図面を参照して詳細に説明する
図１は、本発明における第１実施形態の筆記具用グリップを装着した鉛筆による筆記状態を示す斜視図、図２は、筆記具用グリップの拡大斜視図、図３は、同じく、筆記具用グリップの縦断面図、図４は、図３のIV−IV線拡大縦断面図、図５は、筆記具用グリップの分解斜視図である。
【００１９】
図１〜図５に示すように、本発明の筆記具用グリップ１は、円筒状の内筒体２と、この内筒体２に圧嵌状態をもって同心円状に外嵌した円筒状の外筒体３とよりなる二重筒構造を有しており、鉛筆Ｐなどの筆記具の軸体の指先摘み部分に外挿されて、使用に供される。
【００２０】
内筒体２は、通常、金属または硬質樹脂等の素材をもって形成され、外筒体３は、径方向に弾性作用をなすゴム等の軟質材料をもって形成されている。
【００２１】
内筒体２には、その前端部２ａから後端部２ｂに至る軸方向の全長に亘って、１本のスリット状の切込み部４が形成されている。
この切込み部４の形成によって、内筒体２に外力または内力が径方向に作用した際に、切込み部４における周方向の切込み幅の縮小または拡開による弾性変形によって、その外力または内力に抗する径方向に反力が生じるように、弾性が付与されるようになっている。
【００２２】
内筒体２の内径は、鉛筆Ｐの軸体の外径とほぼ同径となっており、また外筒体３の内径は、内筒体２の外径よりも小さくすることにより、内筒体２の外周面に、外筒体３を圧嵌状態をもって外嵌した際に、外筒体３の弾性力が内筒体２に対して外力として縮径方向に作用する。
これにより、内筒体２内に鉛筆Ｐの軸体が内挿された際に、内筒体２に発生する拡径方向の内力による切込み部４の切込み幅における拡開方向の弾性変形に抗して、内筒体２に縮径方向の弾性を付与し、鉛筆Ｐの軸体を弾性的に抱持しうるようになっている。
【００２３】
この場合、内筒体２の内径を、鉛筆Ｐの軸体の外径とほぼ同径としたが、鉛筆Ｐの軸体の外径よりも大きくし、外筒体３の外嵌状態において、内筒体２の内径が、鉛筆Ｐの軸体の外径よりも小さくなるようにしてもよい。
【００２４】
内筒体２の両端部２ａ，２ｂ近傍の内周面は、外側に向けて拡開する傾斜面５に面取りされている（図３参照）。
なお、この傾斜面５は、鉛筆Ｐの差込み側に相当する端部、たとえば前端２ａ側のみに形成してもよい。
【００２５】
図６は、本発明における第２実施形態の筆記具用グリップの内筒体を示す斜視図、図７は、図６のVII−VII線における拡大断面図である。
【００２６】
図６および図７に示すように、本実施形態の内筒体６には、その両端から軸方向の中央部に向けて、複数の軸方向のスリット状の切込み部７が、周方向に入れ違いに切り込んで設けられている。
【００２７】
各切込み部７は、軸方向の外側に向けて平面視縦長のＶ字状に拡開しているとともに、それぞれの周方向に隣り合う切込み端部７ａの軸中央寄りの部分を、交互に重複させてある。
前記内筒体６に外嵌される外筒体は、前記第１実施形態と同様な形態のものが用いられる。
【００２８】
なお、この第２実施形態において、切込み部７の切込み端部７ａが交互に重複させて切り込まれた内筒体６の軸方向の中央部分に、軸方向の両端が閉塞されたスリット状の切込み部を、周方向に隣り合う切込み部７間に設けるようにすれば、内筒体６の軸方向の中央部分における縮径方向の弾性変形を、一層容易にすることができる。
【００２９】
図８は、本発明の第３実施形態における筆記具用グリップの外筒体を示す拡大中央縦断面図である。
【００３０】
図８に示すように、本実施形態の外筒体８は、主に親指、人差し指、中指の指先によって摘み持たれるゴム質等の軟質素材からなる指先摘み部８Ａと、この指先摘み部８Ａから、親指と人差し指との付け根部分の間に当接されるように、軸方向後方に延出するとともに、前記指先摘み部８Ａと異なる硬質素材からなる摘み補助部８Ｂとを、二色成形（二重成形）によって、軸方向に一体に形成されている。
なお、外筒体８が外嵌される内筒体は、前記第１または第２実施形態と同様な形態のものが用いられる。
【００３１】
本発明における内筒体の他の実施形態としては、切込み部を、スリット状に代えて、有底溝状にするとともに、内筒体の内外両周面のうちの少なくとも一方に、複数の有底溝状の切込み部を軸方向に向けて形成するなどの手段により、筆記具の外径に応じて、内筒体を径方向に弾性変形させることができるものであってもよい。
【００３２】
また、内筒体の内周面に、例えば筆記具の軸体に対して軸方向の摺動抵抗を弾性的に付与する複数の突条を設けて、グリップ装着後における筆記具に対する位置安定性を良好とするとともに、筆記具からの抜けを防止することなどの手段を施すことも任意である。
【００３３】
さらに、前記した第１および第２実施形態では、外筒体の外嵌によって、内筒体の両端部を弾性的に縮径させるようにしたが、内筒体の前端部から軸方向の中央部に向けて切込み部を形成することにより、筆記具が差し込まれる内筒体の片側端部を弾性的に縮径可能となるようにしてもよい。
【図面の簡単な説明】
【００３４】
【図１】本発明における第１実施形態の筆記具用グリップを装着した鉛筆による筆記状態を示す斜視図である。
【図２】筆記具用グリップの拡大斜視図である。
【図３】同じく、筆記具用グリップの縦断面図である。
【図４】図３のIV−IV線拡大縦断面図である。
【図５】筆記具用グリップの分解斜視図である。
【図６】本発明における第２実施形態の筆記具用グリップの内筒体を示す斜視図である。
【図７】図６のVII−VII線における拡大断面図である。
【図８】本発明の第３実施形態における筆記具用グリップの外筒体を示す拡大中央縦断面図である。
【符号の説明】
【００３５】
１    筆記具用グリップ
２    内筒体
２ａ  前端部
２ｂ  後端部
３    外筒体
４    切込み部
５    傾斜面
６    内筒体
７    切込み部
７ａ  切込み端部
８    外筒体
８Ａ  指先摘み部
８Ｂ  摘み補助部
Ｐ    鉛筆（筆記具）
【図１】
2010125755.tif 000003
【図２】
2010125755.tif 000004
【図３】
2010125755.tif 000005
【図４】
2010125755.tif 000006
【図５】
2010125755.tif 000007
【図６】
2010125755.tif 000008
【図７】
2010125755.tif 000009
【図８】
2010125755.tif 000010